(57)【特許請求の範囲】
【請求項１】
繊維材または繊維強化材からなる補強材を緊張させて、橋の上部構造の下面に貼り付けるための、緊張貼付装置であって、
前記橋の下部構造に固定されるベース体と、
前記補強材の端側を支持するとともにその端側を引っ張って前記補強材を緊張させる緊張装置と、
前記ベース体に設けられて、前記補強材が前記下面から離れる第１位置と前記下面に当接あるいは近接する第２位置との間を、前記緊張装置が移動するようにその緊張装置を案内する案内手段と、
前記緊張装置を前記第１位置に保持する第１位置保持手段と、
前記緊張装置を前記第２位置に保持する第２位置保持手段とを有することを特徴とする、補強材の緊張貼付装置。
【請求項２】
請求項１に記載の緊張貼付装置において、
前記ベース体は、前記下部構造側の第１ベース体と、前記緊張装置側の第２ベース体と、それら第１ベース体と第２ベース体との間に位置する中間体と、を備え、
前記中間体は、前記第１ベース体および前記第２ベース体に、着脱可能に接続されることを特徴とする、補強材の緊張貼付装置。
【請求項３】
請求項１または２に記載の緊張貼付装置において、
前記案内手段は、前記緊張装置に備わるスライド体をスライドするように案内する、ガイドレールからなることを特徴とする、補強材の緊張貼付装置。
【請求項４】
請求項３に記載の緊張貼付装置において、
前記緊張装置は、前記補強材の端側が止められる定着具と、前記スライド体に設けられて前記補強材の端側を引っ張るように前記定着具を移動させる移動手段とを備えることを特徴とする、補強材の緊張貼付装置。
【請求項５】
請求項４に記載の緊張貼付装置において、
前記移動手段は、前記定着具を支持する支持体と、前記スライド体に設けられて前記支持体を前記定着具の移動方向にスライドするように案内する他のガイドレールと、ジャッキとからなり、
前記ジャッキの一方側が、前記スライド体に取り付けられ、他方側が、前記支持体に取り付けられていることを特徴とする、補強材の緊張貼付装置。
【請求項６】
請求項５に記載の緊張貼付装置において、
前記スライド体には、第１対向片が設けられ、
前記支持体には、そのスライド方向上に、前記第１対向片と対向する第２対向片が設けられ、
前記第１対向片と前記第２対向片とに、棒材または線材からなる保持部材が渡されて、前記第１対向片と前記第２対向片との間隔を保持するように、前記保持部材にナットが螺合していることを特徴とする、補強材の緊張貼付装置。
【請求項７】
請求項３に記載の緊張貼付装置において、
前記緊張装置は、前記スライド体に回動可能に支持されて前記補強材の端側が止められるドラムと、前記補強材の端側を巻き取るように前記ドラムを回動する回動手段とを備えることを特徴とする、補強材の緊張貼付装置。
【請求項８】
請求項３ないし７のいずれか１項に記載の緊張貼付装置において、
前記緊張装置は、前記スライド体に回動可能に支持されて、前記補強材の端側を、前記下面から離れる方向に案内するシフトドラムを備えることを特徴とする、補強材の緊張貼付装置。
【請求項９】
請求項１ないし８のいずれか１項に記載の緊張貼付装置において、
前記緊張装置によって、前記補強材は、前記第１位置にて仮緊張され、前記第２位置にて所要の緊張力が付与されるよう本緊張されることを特徴とする、補強材の緊張貼付装置。
【請求項１０】
請求項５または６に記載の緊張貼付装置において、
前記緊張装置を、前記第１位置と前記第２位置との間を移動させるための、駆動手段を備え、その駆動手段と前記ジャッキとは、互いに兼ねられることなく別個に設けられていることを特徴とする、補強材の緊張貼付装置。
【発明の詳細な説明】
【０００１】
【発明の属する技術分野】
この発明は、橋の上部構造の下面に繊維材または繊維強化材からなる補強材を貼り付けることで、その上部構造を補強する、補強材の緊張貼付装置に関するものである。
【０００２】
【従来の技術、および発明が解決しようとする課題】
従来、例えば、橋のコンクリート桁あるいはプレストレストコンクリート桁を後から補強するにあたって、その桁の下面等に、補強材としての炭素繊維シートを何枚も貼り付けることで、その桁を補強することがあった。しかし、この補強方法によると、炭素繊維シートを、桁の断面係数の増加分にしか反映できず、炭素繊維シートを有効に利用しているとはいえなかった。
【０００３】
そこで、炭素繊維シートを緊張させて桁に貼り付けることで、桁にプレストレスを導入することが考えられた。しかし、この炭素繊維シートを緊張させて桁に貼り付けるための、緊張貼付装置にあっては、十分な開発がなされておらず、簡単に炭素繊維を緊張させて貼り付けることができる緊張貼付装置の開発が望まれていた。
【０００４】
この発明は、上記した従来の欠点を解決するためになされたものであり、その目的とするところは、簡単に補強材を緊張させて貼り付けることができる、補強材の緊張貼付装置を提供することにある。
【０００５】
【課題を解決するための手段】
この発明に係る補強材の緊張貼付装置は、前記目的を達成するために、次の構成からなる。すなわち、
請求項１に記載の発明に係る補強材の緊張貼付装置は、繊維材または繊維強化材からなる補強材を緊張させて、橋の上部構造の下面に貼り付けるための、緊張貼付装置であって、前記橋の下部構造に固定されるベース体と、緊張装置と、案内手段と、第１位置保持手段と、第２位置保持手段とを有する。ここで、緊張装置は、前記補強材の端側を支持するとともにその端側を引っ張って前記補強材を緊張させる装置である。案内手段は、前記ベース体に設けられて、前記補強材が前記下面から離れる第１位置と前記下面に当接あるいは近接する第２位置との間を、前記緊張装置が移動するようにその緊張装置を案内するものである。そして、第１位置保持手段は、前記緊張装置を前記第１位置に保持する保持手段であり、第２位置保持手段は、前記緊張装置を前記第２位置に保持する保持手段である。
【０００６】
こうして、緊張装置により、補強材の端側が引っ張られて、その補強材は緊張することとなる。そして、ベース体に設けられた案内手段によって、緊張装置は、補強材が橋の上部構造の下面から離れる第１位置と、その下面に当接あるいは近接する第２位置との間を、移動するように案内される。したがって、緊張装置が第１位置にあるとき、すなわち補強材が上部構造の下面から離れているときに、補強材および／または上部構造の下面に接着剤を塗布し、その後、緊張装置を第２位置に移動することで、補強材を上部構造の下面に貼り付けることができる。このとき、第２位置保持手段によって、緊張装置は、接着剤が硬化するまで、第２位置に保持される。ここで、緊張装置による、補強材の緊張は、緊張装置が第１位置にあるときに行ってもよく、また、第２位置にあるときに行ってもよく、あるいは、第１位置と第２位置との間の位置等にあるときに行ってもよい。なお、緊張装置は、第１位置においては、第１位置保持手段によって第１位置に保持される。
【０００７】
また、請求項２に記載の発明に係る補強材の緊張貼付装置のように、請求項１に記載の緊張貼付装置において、前記ベース体は、前記下部構造側の第１ベース体と、前記緊張装置側の第２ベース体と、それら第１ベース体と第２ベース体との間に位置する中間体と、を備えてもよい。ここで、前記中間体は、前記第１ベース体および前記第２ベース体に、着脱可能に接続される。これにより、上部構造に対する下部構造の姿勢が異なる場合であっても、中間体を前記姿勢に応じて種々用意することで、下部構造側の第１ベース体および緊張装置側の第２ベース体を共通に用いることができる。
【０００８】
また、請求項３に記載の発明に係る補強材の緊張貼付装置のように、請求項１または２に記載の緊張貼付装置において、前記案内手段は、前記緊張装置に備わるスライド体をスライドするように案内する、ガイドレールからなっていてもよい。こうして、緊張装置に備わるスライド体が、ガイドレールに案内されてスライドすることで、緊張装置は、前記第１位置と前記第２位置との間を移動することができる。
【０００９】
また、請求項４に記載の発明に係る補強材の緊張貼付装置のように、請求項３に記載の緊張貼付装置において、前記緊張装置は、前記補強材の端側が止められる定着具と、前記スライド体に設けられて前記補強材の端側を引っ張るように前記定着具を移動させる移動手段とを備えてもよい。こうして、スライド体に設けられた移動手段によって、補強材の端側を引っ張るように、その端側が止められた定着具が移動することで、補強材は、緊張することとなる。
【００１０】
また、請求項５に記載の発明に係る補強材の緊張貼付装置のように、請求項４に記載の緊張貼付装置において、前記移動手段は、前記定着具を支持する支持体と、前記スライド体に設けられて前記支持体を前記定着具の移動方向にスライドするように案内する他のガイドレールと、ジャッキとからなっていてもよい。ここで、前記ジャッキは、その一方側が、前記スライド体に取り付けられ、他方側が、前記支持体に取り付けられる。こうして、ジャッキが、スライド体と支持体間に取り付けられて、ジャッキが作動すると、他のガイドレールに案内された支持体がスライドし、その支持体に支持された定着具が移動することで、その定着具に端側が止められた補強材は、緊張することとなる。
【００１１】
また、請求項６に記載の発明に係る補強材の緊張貼付装置のように、請求項５に記載の緊張貼付装置において、前記スライド体には、第１対向片が設けられ、前記支持体には、そのスライド方向上に、前記第１対向片と対向する第２対向片が設けられ、前記第１対向片と前記第２対向片とに、棒材または線材からなる保持部材が渡されて、前記第１対向片と前記第２対向片との間隔を保持するように、前記保持部材にナットが螺合してもよい。これにより、スライド体に設けられた第１対向片と、支持体に設けられた第２対向片とに、ナットが螺合した保持部材が渡されることで、第１対向片と第２対向片との間隔が保持され、つまりは、スライド体と支持体との相対位置が保持される。こうして、スライド体と支持体との相対位置が保持されることで、補強材の緊張した状態を維持することができる。
【００１２】
また、請求項７に記載の発明に係る補強材の緊張貼付装置のように、請求項３に記載の緊張貼付装置において、前記緊張装置は、前記スライド体に回動可能に支持されて前記補強材の端側が止められるドラムと、前記補強材の端側を巻き取るように前記ドラムを回動する回動手段とを備えてもよい。こうして、回動手段によって、補強材の端側が止められたドラムが回動することで、そのドラムに補強材の端側が巻き取られるようにして引っ張られて、補強材は、緊張する。
【００１３】
また、請求項８に記載の発明に係る補強材の緊張貼付装置のように、請求項３ないし７のいずれか１項に記載の緊張貼付装置において、前記緊張装置は、前記スライド体に回動可能に支持されて、前記補強材の端側を、前記下面から離れる方向に案内するシフトドラムを備えてもよい。こうして、シフトドラムによって、補強材の端側は、上部構造の下面から離れる方向に案内されるので、上部構造の下面に貼り付けられる補強材の緊張方向における、緊張貼付装置のサイズを小さくすることができる。そして、前記緊張方向が、上部構造の長手方向に沿う方向の場合には、上部構造の長手方向における、緊張貼付装置のサイズを小さくすることができる。
【００１４】
また、請求項９に記載の発明に係る補強材の緊張貼付装置のように、請求項１ないし８のいずれか１項に記載の緊張貼付装置において、前記緊張装置によって、前記補強材は、前記第１位置にて仮緊張され、前記第２位置にて所要の緊張力が付与されるよう本緊張されるのが望ましい。これにより、緊張装置が第１位置にあるとき、すなわち補強材が上部構造の下面から離れているときに、補強材が仮緊張されて、その補強材は、ある程度真直ぐな状態となる。したがって、その仮緊張後に、補強材に接着剤を塗布すれば、その接着作業が容易となる。そして、緊張装置が第２位置にあるとき、すなわち補強材が上部構造の下面に当接あるいは近接するときに、補強材は本緊張される。したがって、緊張装置が、第１位置から第２位置に移動する際には、補強材は仮緊張の状態にあり、案内手段が補強材の緊張によって受ける負荷は、本緊張されている場合に比して小さくなる。
また、請求項１０に記載の発明に係る補強材の緊張貼付装置のように、請求項５または６に記載の緊張貼付装置において、前記緊張装置を、前記第１位置と前記第２位置との間を移動させるための、駆動手段を備え、その駆動手段と前記ジャッキとは、互いに兼ねられることなく別個に設けられてもよい。
【００１５】
【発明の実施の形態】
以下、この発明に係る補強材の緊張貼付装置の実施の形態につき、図面に基づいて説明する。
【００１６】
図１ないし図９は、本発明に係る補強材の緊張貼付装置の一実施の形態を示す。図中符号１は、補強の対象となる、橋の、桁、床版等の、上部構造である。２は、前記橋の、橋脚、橋台等の、下部構造であり、図示実施の形態においては、下部構造２、２が互いに対向する面となる、下部構造２の前面２ａは、上部構造１の長手方向と直角な面となることなく、鉛直軸回りに傾いた斜面となっている。３は、繊維材からなる補強材としての、ＰＢＯ（ポリパラフェニレンベンゾビスオキサゾール）連続繊維シートである。４は、前記ＰＢＯ連続繊維シート３を緊張させて、前記上部構造１の下面１ａに貼り付けるための、緊張貼付装置である。
【００１７】
この緊張貼付装置４は、下部構造２に固定されるベース体５と、緊張装置６と、案内手段７と、第１位置保持手段８と、第２位置保持手段９とを有している。
【００１８】
ここで、ベース体５は、図１および図２に示すように、下部構造２側の第１ベース体５ａと、緊張装置６側の第２ベース体５ｂと、それら第１ベース体５ａと第２ベース体５ｂとの間に位置する中間体５ｃと、を備えている。
【００１９】
第１ベース体５ａは、断面Ｌ字状の、二本の形鋼５ｄ、５ｄからなり、これら形鋼５ｄ、５ｄは、下部構造２の前面２ａに沿って水平方向に延びている。そして、形鋼５ｄは、断面Ｌ字の一片側が下部構造２の前面２ａに当接しており、その一片側において、アンカーバー１０、１０を用いて、前面２ａに固定される。ところで、このアンカーバー１０は、下部構造２の前面２ａに明けられた穴２ｂに挿入されて、エポキシ樹脂等の接着材等を用いることで、下部構造２に止められている。
【００２０】
第２ベース体５ｂは、断面略Ｔ字状に形成されて、その断面略Ｔ字の上片となる第１プレート５ｅが、上部構造１の長手方向と直角となり、断面略Ｔ字の下片となる第２プレート５ｆが、第１プレート５ｅの中央部分から緊張装置６側に延びている。さらに、第２ベース体５ｂは、第１および第２プレート５ｅ、５ｆの下端に、第３プレート５ｇが、溶接等により固定されている。そして、この第３プレート５ｇに、後述するネジジャッキ１８が取り付けられる。
【００２１】
また、中間体５ｃは、前記第１ベース体５ａおよび前記第２ベース体５ｂに、着脱可能に接続されて、それら第１ベース体５ａと第２ベース体５ｂとを連結するものである。具体的には、中間体５ｃは、第１ベース体５ａ側の第４プレート５ｈ、５ｈと、第２ベース体５ｂ側の第５プレート５ｉ、５ｉおよび第６プレート５ｊとからなり、第４プレート５ｈ、５ｈと第５プレート５ｉ、５ｉ、そして、第５プレート５ｉ、５ｉと第６プレート５ｊが、互いに直角となるようにして溶接等により接合されている。そして、この中間体５ｃは、第４プレート５ｈ、５ｈが、第１ベース体５ａの形鋼５ｄ、５ｄと、ボルトＢ１およびナットＮ１によって着脱可能に接続され、第６プレート５ｊが、第２ベース体５ｂの第１プレート５ｅと、ボルトＢ２およびナットＮ２によって着脱可能に接続される。
【００２２】
緊張装置６は、ＰＢＯ連続繊維シート３の端側を支持するとともにその端側を引っ張ってＰＢＯ連続繊維シート３を緊張させるものである。この緊張装置６は、スライド体１１を備えており、このスライド体１１は、第２ベース体５ｂに設けられた後述する第１ガイドレール７ａによって、上下方向に、スライドするように案内される。このスライド体１１は、上部構造１の幅方向に対向するようにして並ぶ一対の支持プレート１１ａ、１１ａと、同じく上部構造１の幅方向に対向するようにして並ぶ一対のスライドプレート１１ｂ、１１ｂと、それら支持プレート１１ａ、１１ａとスライドプレート１１ｂ、１１ｂとの間に位置する筒状の上下の連結棒１１ｃ、１１ｃとからなる。そして、支持プレート１１ａ、１１ａと連結棒１１ｃ、１１ｃとは、溶接等により接合されており、スライドプレート１１ｂ、１１ｂと連結棒１１ｃ、１１ｃとは、その連結棒１１ｃ、１１ｃに挿通されるボルトＢ３、Ｂ３およびナットＮ３、Ｎ３により、着脱可能に接続される。そして、スライドプレート１１ｂには、上端部分に、後述するジャッキ１７の一方側を取り付けるための、一対の第１の取付孔１１ｄ、１１ｄが設けられており、それら取付孔１１ｄ、１１ｄが設けられた位置より下方において、上下方向に長手となるとともに下端に達する長孔１１ｅが設けられている。
【００２３】
また、緊張装置６は、スライド体１１（図示実施の形態においては一対のスライドプレート１１ｂ、１１ｂ）に回動可能に支持されて、ＰＢＯ連続繊維シート３の端側を、上部構造１の下面１ａから離れる方向に案内するシフトドラム１２を備えている。具体的には、一対のスライドプレート１１ｂ、１１ｂには、それらスライドプレート１１ｂ、１１ｂを繋ぐように第１シャフト１１ｆが取り付けられており、この第１シャフト１１ｆにシフトドラム１２が回動可能に嵌められている。こうして、このシフトドラム１２は、第１シャフト１１ｆを介して、スライドプレート１１ｂ、１１ｂに回動可能に支持される。
【００２４】
さらに、緊張装置６は、ＰＢＯ連続繊維シート３の端側が止められる定着具１３と、前記スライド体１１に設けられてＰＢＯ連続繊維シート３の端側を引っ張るように定着具１３を移動させる移動手段１４とを備えている。定着具１３は、矩形プレート状の定着部１３ａと、その定着部１３ａの下端に溶接等により固定された筒部１３ｂとからなる。そして、定着部１３ａに、前記ＰＢＯ連続繊維シート３の端側が止められる。
【００２５】
一方、移動手段１４は、定着具１３を支持する支持体１５と、スライド体１１に設けられて支持体１５を前記定着具１３の移動方向にスライドするように案内する他のガイドレールとしての第２ガイドレール１６と、ジャッキ１７とからなる。
【００２６】
支持体１５は、上下方向に長手となる一対の支持体本体１５ａ、１５ａと、それら支持体本体１５ａ、１５ａを繋ぐ第２シャフト１５ｂとからなる。支持体本体１５ａには、その下端部分に、後述するジャッキ１７の他方側を取り付けるための第２の取付孔１５ｃが、三対、例えば５０ｍｍ間隔で上下に並ぶようにして設けられている（図３参照）。そして、第２シャフト１５ｂには、前記定着具１３の筒部１３ｂが回動可能に嵌められている。
【００２７】
第２ガイドレール１６は、一つのスライドプレート１１ｂに対して一対設けられている。そして、この第２ガイドレール１６は、断面略Ｌ字形状をして、支持体１５がスライドする方向となる上下方向に延びる向きで、前記スライドプレート１１ｂに、ボルト１６ａ、１６ａにより固定されている。
【００２８】
ジャッキ１７は、例えば、油圧ジャッキからなり、その一方側であるシリンダ１７ａ側には、取付け用の第１の被取付孔１７ｂが一対設けられており、その他方側であるラム１７ｃ側には、取付け用の第２の被取付孔１７ｄが一対設けられている。そして、この第１の被取付孔１７ｂ、１７ｂと、スライドプレート１１ｂの第１の取付孔１１ｄ、１１ｄとを貫くようにしてピンＰが挿通することで、ジャッキ１７の一方側は、スライド体１１に取り付けられる。そして、第２の被取付孔１７ｄ、１７ｄと、支持体本体１５ａの第２の取付孔１５ｃ、１５ｃとを貫くようにしてピンＱが挿通することで、ジャッキ１７の他方側は、支持体１５に取り付けられる。なお、図示実施の形態においては、図４に示すように、スライドプレート１１ｂの長孔１１ｅ内において、ベアリング１５ｄが、支持体本体１５ａに固定された段付ピン１５ｅに嵌められている。したがって、支持体１５は、第２ガイドレール１６によるだけでなく、長孔１１ｅによっても、スライドプレート１１ｂに対してスライドするように案内されている。
【００２９】
案内手段７は、ベース体５に設けられて、ＰＢＯ連続繊維シート３が上部構造１の下面１ａから離れる第１位置（図１、図６および図７参照）と上部構造１の下面１ａに当接あるいは近接する第２位置（図８および図９参照）との間を、前記緊張装置６が移動するようにその緊張装置６を案内するものである。具体的には、案内手段７は、緊張装置６におけるスライド体１１をスライドするように案内する、ガイドレールとしての第１ガイドレール７ａ、７ａからなっている。この第１ガイドレール７ａは、スライド体１１がスライドする方向となる上下方向に延びるようにして、第２ベース体５ｂにおける、第２プレート５ｆの各面に一対設けられている（図２参照）。そして、前記各面における第１ガイドレール７ａ、７ａ間において、ベアリング１１ｇが、スライド体１１における支持プレート１１ａに固定された段付ピン１１ｈに嵌められており、このベアリング１１ｇを通じて、緊張装置６は、前記第１位置と第２位置との間を案内される。そして、スライド体１１には、下側の連結棒１１ｃに、ネジジャッキ１８におけるラム１８ａの先端が取り付けられている。ここで、ネジジャッキ１８は、緊張装置６を、前記第１位置と第２位置との間を移動させるための駆動手段である。すなわち、ネジジャッキ１８を、例えばモータ１８ｂにより作動させることで、ラム１８ａが上下動し、緊張装置６は、前記第１位置と第２位置との間を移動するようになっている。なお、このネジジャッキ１８に替えて油圧ジャッキ、手動リフト装置等の、駆動手段を用いることもできる。
【００３０】
第１位置保持手段８は、緊張装置６を前記第１位置に保持する保持手段であり、同様にして、第２位置保持手段９は、緊張装置６を前記第２位置に保持する保持手段である。そして、これら保持手段８、９は、前記ネジジャッキ１８からなる。すなわち、緊張装置６が、第１位置や第２位置に位置するときに、ネジジャッキ１８の駆動を止めることで、この緊張装置６は、第１位置や第２位置に保持される。
【００３１】
また、スライド体１１におけるスライドプレート１１ｂには、第１対向片１１ｉが設けられ、支持体１５における支持体本体１５ａには、そのスライド方向上に、第１対向片１１ｉと対向する第２対向片１５ｆが設けられている。そして、第１対向片１１ｉと第２対向片１５ｆとに、棒材または線材からなる保持部材Ｘが渡されている。そして、第１対向片１１ｉと第２対向片１５ｆとの間隔を保持するように、この保持部材ＸにナットＹ、Ｙが螺合している。詳細には、第１対向片１１ｉは、スライドプレート１１ｂの下端部に溶接等によって固定され、そして、第２対向片１５ｆは、支持体本体１５ａの上端部であって、前記第１対向片１１ｉよりも上方に、溶接等によって固定されている。そして、保持部材Ｘは、第１対向片１１ｉの孔１１ｊと、第２対向片１５ｆの孔１５ｇとを貫通するようにして、それら第１対向片１１ｉと第２対向片１５ｆとに渡され、その渡された保持部材Ｘの各先端からねじ込まれるようにして、ナットＹ、Ｙが螺合している。そこで、ＰＢＯ連続繊維シート３を緊張させるように、スライド体１１に対して支持体１５を下方にスライドすると、第１対向片１１ｉと第２対向片１５ｆとの間隔は狭まることとなる。そして、ナットＹを、第１対向片１１ｉや第２対向片１５ｆに当接するまでねじ込むと、第１対向片１１ｉと第２対向片１５ｆとの間隔は保持され、こうして、ＰＢＯ連続繊維シート３の緊張状態が維持される。
【００３２】
次に、以上の構成からなる緊張貼付装置４を用いてＰＢＯ連続繊維シート３を上部構造１の下面１ａに貼り付ける貼付方法について説明する。
【００３３】
〈作業手順１〉
始めに、図１および図６に示すように、この緊張貼付装置４を、上部構造１の長手方向の各側であって、下部構造２の前面２ａに面して配置する。このとき、緊張装置６は、第１位置保持手段８によって、つまりはネジジャッキ１８によって、第１位置に保持されている。また、ジャッキ１７は、その一方側が、第１の被取付孔１７ｂと第１の取付孔１１ｄとに挿通するピンＰによって、スライド体１１に取り付けられており、その他方側が、第２の被取付孔１７ｄと第２の取付孔１５ｃ（図示実施の形態においては、最下部に位置する取付孔）とに挿通するピンＱによって、支持体１５に取り付けられている。そして、ＰＢＯ連続繊維シート３を、上部構造１の下面１ａの長手方向に沿うようにして各側のシフトドラム１２に渡す。そして、各緊張貼付装置４において、ＰＢＯ連続繊維シート３の端側を、シフトドラム１２によって、下面１ａから離れる方向に方向転換するように案内し、つまり下方に案内し、定着具１３における定着部１３ａにボルト止めなどによって固定する。
【００３４】
〈作業手順２〉
次いで、図７に示すように、ジャッキ１７を操作して、そのジャッキ１７を、例えば１００ｍｍ伸ばすと、その長さ分、スライド体１１に対して支持体１５が下方にスライドし、支持体１５に取り付けられた定着具１３を介して、ＰＢＯ連続繊維シート３の端側が引っ張られ、このＰＢＯ連続繊維シート３のタルミがとられる（仮緊張）。このとき、第１対向片１１ｉと第２対向片１５ｆとは、近づくので、その近づいた距離分、保持部材Ｘに螺合する、例えば上側のナットＹを締め込む。こうして、スライド体１１と支持体１５との相対位置が保持され、ＰＢＯ連続繊維シート３の仮緊張の状態が維持される。その後、ＰＢＯ連続繊維シート３および／または上部構造１の下面１ａに接着剤を塗布する。なお、この接着剤の塗布においては、ＰＢＯ連続繊維シート３と下面１ａとのいずれか一方に塗布してもよく、また、それら両者に塗布してもよい。
【００３５】
〈作業手順３〉
次いで、図８に示すように、ネジジャッキ１８を操作して、そのネジジャッキ１８のラム１８ａを伸ばし、スライド体１１を上方にスライドさせることで、緊張装置６を、上方の第２位置まで移動する。そして、第２位置保持手段９によって、つまりはネジジャッキ１８によって、緊張装置６を第２位置に保持する。こうして、ＰＢＯ連続繊維シート３は、上部構造１の下面１ａに当接あるいは近接し、このＰＢＯ連続繊維シート３は、塗布された接着剤を介して、下面１ａに密着することとなる。
【００３６】
〈作業手順４〉
次いで、図９に示すように、ジャッキ１７を操作して、そのジャッキ１７を伸ばすと、スライド体１１に対して支持体１５が下方にスライドし、支持体１５に取り付けられた定着具１３を介して、ＰＢＯ連続繊維シート３の端側が引っ張られ、このＰＢＯ連続繊維シート３は、緊張する。ここで、ＰＢＯ連続繊維シート３に所要の緊張力が付与されるまで、ジャッキ１７を伸ばす（本緊張）。このとき、第１対向片１１ｉと第２対向片１５ｆとは、近づくので、その近づいた距離分、保持部材Ｘに螺合する、例えば上側のナットＹを締め込む。こうして、スライド体１１と支持体１５との相対位置が保持され、ＰＢＯ連続繊維シート３の本緊張の状態が維持される。このようにして、この緊張貼付装置４によって、ＰＢＯ連続繊維シート３は、緊張した状態で、上部構造１の下面１ａに貼り付けられる。そして、接着剤の硬化後には、緊張貼付装置４は、取り除かれる。
【００３７】
この緊張貼付装置４によれば、緊張装置６により、ＰＢＯ連続繊維シート３の端側が引っ張られて、そのＰＢＯ連続繊維シート３は緊張することとなる。すなわち、移動手段１４を構成するジャッキ１７が、スライド体１１と支持体１５間に取り付けられており、このジャッキ１７を操作すると、第２ガイドレール１６に案内された支持体１５が下方にスライドする。これにより、その支持体１５に支持された定着具１３が下方に移動し、その定着具１３に端側が止められたＰＢＯ連続繊維シート３が緊張する。
【００３８】
そして、スライド体１１に設けられた第１対向片１１ｉと、支持体１５に設けられた第２対向片１５ｆとに、ナットＹ、Ｙが螺合した保持部材Ｘが渡されることで、第１対向片１１ｉと第２対向片１５ｆとの間隔が保持され、つまりは、スライド体１１と支持体１５との相対位置が保持される。こうして、スライド体１１と支持体１５との相対位置が保持されることで、ＰＢＯ連続繊維シート３の緊張した状態を維持することができる。
【００３９】
また、緊張装置６に備わるスライド体１１が、第２ベース体５ｂに設けられた第１ガイドレール７ａ、７ａに案内されてスライドすることで、緊張装置６は、ＰＢＯ連続繊維シート３が上部構造１の下面１ａから離れる第１位置と、その下面１ａに当接あるいは近接する第２位置との間を、移動するように案内される。したがって、緊張装置６が第１位置にあるとき、すなわちＰＢＯ連続繊維シート３が上部構造１の下面１ａから離れているときに、ＰＢＯ連続繊維シート３および／または下面１ａに接着剤を塗布し、その後、緊張装置６を第２位置に移動することで、ＰＢＯ連続繊維シート３を下面１ａに貼り付けることができ、このように、簡単にＰＢＯ連続繊維シート３を緊張させて下面１ａに貼り付けることができる。このとき、第２位置保持手段９となるネジジャッキ１８によって、緊張装置６は、接着剤が硬化するまで、第２位置に保持される。
【００４０】
また、下部構造２に固定されるベース体５は、下部構造２側の第１ベース体５ａと、緊張装置６側の第２ベース体５ｂと、それらの間に位置する中間体５ｃとを備えている。そして、この中間体５ｃが、第１ベース体５ａおよび第２ベース体５ｂに着脱可能に接続される。したがって、上部構造１に対する下部構造２の姿勢（例えば、上部構造１の長手方向と、下部構造２の前面２ａの垂線方向との角度）が異なる場合であっても、中間体５ｃを前記姿勢に応じて種々用意することで、下部構造２側の第１ベース体５ａおよび緊張装置６側の第２ベース体５ｂを共通に用いることができ、それらの姿勢に容易に対応することができる。
【００４１】
また、シフトドラム１２によって、ＰＢＯ連続繊維シート３の端側は、上部構造１の下面１ａから離れる方向に案内されるので、この下面１ａに貼り付けられるＰＢＯ連続繊維シート３の緊張方向における、緊張貼付装置４のサイズを小さくすることができる。そして、図示実施の形態においては、前記緊張方向が、上部構造１の長手方向に沿う方向となっており、その上部構造１の長手方向における、緊張貼付装置４のサイズを小さくすることができ、下部構造２付近まで、ＰＢＯ連続繊維シート３を貼り付けることができる。
【００４２】
また、緊張装置６が第１位置にあるとき、すなわちＰＢＯ連続繊維シート３が上部構造１の下面１ａから離れているときに、ＰＢＯ連続繊維シート３が仮緊張されて、そのＰＢＯ連続繊維シート３は、ある程度真直ぐな状態となる。したがって、その仮緊張後に、ＰＢＯ連続繊維シート３に接着剤を塗布すれば、その接着作業が容易となる。そして、緊張装置６が第２位置にあるとき、すなわちＰＢＯ連続繊維シート３が上部構造１の下面１ａに当接あるいは近接するときに、ＰＢＯ連続繊維シート３は本緊張される。したがって、緊張装置６が、第１位置から第２位置に移動する際には、ＰＢＯ連続繊維シート３は仮緊張の状態にあるので、案内手段７となる第１ガイドレール７ａがＰＢＯ連続繊維シート３の緊張によって受ける負荷は、本緊張されている場合に比して小さくなる。よって、緊張装置６を、第１位置から第２位置に円滑に移動させることができる。
【００４３】
なお、本発明は、上述した実施の形態に限定されるわけではなく、その他種々の変更が可能である。例えば、上述の実施の形態においては、スライド体１１は、シフトドラム１２および定着具１３を挟む一対のスライドプレート１１ｂ、１１ｂが、連結棒１１ｃ、１１ｃを介して、支持プレート１１ａ、１１ａとともに一体となっているが、このスライド体１１、そしてベース体５を、図１０に示すように変更してもよい。すなわち、ベース体５において、中間体５ｃの第５プレート５ｉ、５ｉ間を幅広とするとともに第６プレート５ｊをなくし、第２ベース体５ｂを、シフトドラム１２および定着具１３を挟む一対のベースプレートＺ、Ｚとし、スライド体１１を、一対のベースプレートＺ、Ｚ上を、それぞれ第１ガイドレール７ａ、７ａに沿ってスライドするスライドプレート１１ｂ、１１ｂとしてもよい。このとき、ベースプレートＺには、取付孔Ｈ１が設けられており、第１の取付孔１１ｄに替えてこの取付孔Ｈ１と、ジャッキ１７のシリンダ１７ａ側に設けられた被取付孔Ｈ２とにピン（図示せず）を挿通することで、このジャッキ１７を用いて、緊張装置６を第１位置と第２位置との間を移動させることができる。したがって、この図１０に示す実施の形態においては、ネジジャッキ１８は不要となる。
【００４４】
また、緊張装置６は、ＰＢＯ連続繊維シート３の端側が止められる定着具１３と、その定着具１３を移動させる移動手段１４とを備えたものでなくとも、スライド体１１に回動可能に支持されてＰＢＯ連続繊維シート３の端側が止められるドラムと、ＰＢＯ連続繊維シート３の端側を巻き取るように前記ドラムを回動する回動手段とを備えたものであってもよい。ここで、前記回動手段は、前記ドラムに連結されたカムクラッチと、そのカムクラッチを作動させるための遥動レバーと、その遥動レバーを駆動させるためのジャッキ等からなっていてもよく、また、例えば、油圧トルクモータ等のトルクモータからなっていてもよく、モータと減速機とを組み合わせたものや、人力と減速機等との組み合わせによる手動回動機構からなっていてもよい。このように、回動手段により、ＰＢＯ連続繊維シート３の端側が止められたドラムが回動することで、そのドラムにＰＢＯ連続繊維シート３の端側が巻き取られるようにして引っ張られて、このＰＢＯ連続繊維シート３は緊張することとなる。
【００４５】
また、橋は、河川に掛けられた渡川橋だけでなく、海に掛けられた渡海橋、道路等と交差するようにあるいは道路等に沿うようにして架設された高架橋等であってもよい。
【００４６】
また、上部構造１や下部構造２は、コンクリート構造物（鉄筋コンクリート構造物とかプレストレストコンクリート構造物等）であってもよく、また、コンクリート製以外にも、例えば、鋼製等であってもよい。
【００４７】
また、緊張装置６は、ＰＢＯ連続繊維シート３の端側を上部構造１の下面１ａから離れる方向に案内するシフトドラム１２を備えているが、このシフトドラム１２を備えることなく、ＰＢＯ連続繊維シート３の端側が、下面１ａの長手方向に沿う方向に引っ張られてもよい。
【００４８】
また、緊張貼付装置４は、上部構造１の長手方向の各側であって、下部構造２の前面２ａに面して配置されるが、緊張装置６による、ＰＢＯ連続繊維シート３の緊張は、両方の緊張貼付装置４、４にて行わなくとも、一方の緊張貼付装置４のみで行ってもよい。
【００４９】
また、緊張装置６による、ＰＢＯ連続繊維シート３の緊張、特に本緊張は、緊張装置６が第２位置にあるときに行わなくとも、第１位置にあるときに行ってもよく、あるいは、第１位置と第２位置との間の位置等にあるときに行ってもよい。また、ＰＢＯ連続繊維シート３の仮緊張は、特に必要なければ、行わなくともよい。
【００５０】
また、繊維材からなる補強材は、ＰＢＯ連続繊維シート３でなくとも、炭素繊維、ガラス繊維、アラミド繊維等の、繊維シートであってもよい。また、補強材は、繊維材からなるものでなくとも、ＰＢＯ繊維強化プラスチック、ガラス繊維強化プラスチック、その他の繊維強化プラスチック等の、繊維強化材からなるものであってもよい。
【００５１】
また、ジャッキ１７の他方側を支持体１５に取り付けるにあたって、ピンＱが、支持体本体１５ａにおける最下部に位置する第２の取付孔１５ｃに挿通されているが、ＰＢＯ連続繊維シート３を緊張する途中（例えば、仮緊張の途中、仮緊張と本緊張との間、または本緊張の途中）で、ピンＱを上側に位置する第２の取付孔１５ｃに挿通するように付け替えてもよい。こうすることで、ジャッキ１７のストロークを越えるストロークで、支持体１５をスライドさせることができ、ＰＢＯ連続繊維シート３の緊張を一層高めることができる。
【００５２】
また、ベース体５は、下部構造２の前面２ａに、アンカーバー１０によって固定されるが、例えば、下部構造２の前面２ａに、水平方向に延設されるガイドレールを設け、そのガイドレール上を、ベース体５が、スライドするとともにそのスライドした適宜位置に固定されるようにしてもよい。こうして、ベース体５を含む緊張貼付装置４をスライドさせることで、上部構造１の幅方向の各位置に、ＰＢＯ連続繊維シート３を貼り付けることができる。
【００５３】
また、第１位置保持手段８および第２位置保持手段９は、ネジジャッキ１８からならなくとも、例えば、ベース体５とスライド体１１とに挿通される保持ピン等からなっていてもよい。
【００５４】
【発明の効果】
以上、詳述したところから明らかなように、この発明に係る補強材の緊張貼付装置によれば、次の効果がある。
【００５５】
請求項１に記載された補強材の緊張貼付装置によれば、緊張装置が第１位置にあるとき、すなわち補強材が上部構造の下面から離れているときに、補強材および／または上部構造の下面に接着剤を塗布し、その後、緊張装置を第２位置に移動することで、補強材を上部構造の下面に貼り付けることができるので、簡単に補強材を緊張させて貼り付けることができる。
【００５６】
また、請求項２に記載された補強材の緊張貼付装置によれば、請求項１の効果に加えて、上部構造に対する下部構造の姿勢が異なる場合であっても、中間体を前記姿勢に応じて種々用意することで、下部構造側の第１ベース体および緊張装置側の第２ベース体を共通に用いることができ、それらの姿勢に容易に対応することができる。
【００５７】
また、請求項３に記載された補強材の緊張貼付装置によれば、請求項１または２の効果に加えて、ガイドレールに案内されるスライド体によって、緊張装置は、前記第１位置と前記第２位置との間を移動することができる。
【００５８】
また、請求項４、５、１０に記載された補強材の緊張貼付装置によれば、請求項３の効果に加えて、移動手段によって、補強材の端側が止められた定着具が移動することで、補強材は緊張する。
【００５９】
また、請求項６に記載された補強材の緊張貼付装置によれば、請求項５の効果に加えて、保持部材によって、スライド体と支持体との相対位置が保持されて、補強材の緊張した状態を維持することができる。
【００６０】
また、請求項７に記載された補強材の緊張貼付装置によれば、請求項３の効果に加えて、回動手段によって、ドラムが回動することで、そのドラムに補強材の端側が巻き取られるようにして引っ張られることで、補強材は緊張する。
【００６１】
また、請求項８に記載された補強材の緊張貼付装置によれば、請求項３ないし７のいずれか１項の効果に加えて、シフトドラムによって、補強材の端側は、上部構造の下面から離れる方向に案内されるので、上部構造の下面に貼り付けられる補強材の緊張方向における、緊張貼付装置のサイズを小さくすることができる。しかも、前記緊張方向が、上部構造の長手方向に沿う方向の場合には、上部構造の長手方向における、緊張貼付装置のサイズを小さくすることができ、下部構造付近まで、補強材を貼り付けることができる。
【００６２】
また、請求項９に記載された補強材の緊張貼付装置によれば、請求項１ないし８のいずれか１項の効果に加えて、補強材が上部構造の下面から離れた第１位置にあるときに、補強材は、仮緊張されて、ある程度真直ぐな状態となるので、その後に、補強材に接着剤を塗布すれば、その接着作業が容易となる。そして、緊張装置が、第１位置から第２位置に移動する際には、補強材は仮緊張の状態にあるので、案内手段が補強材の緊張によって受ける負荷は、本緊張されている場合に比して小さくなり、緊張装置を、第１位置から第２位置に円滑に移動させることができる。
【図面の簡単な説明】
【図１】  この発明に係る補強材の緊張貼付装置の一実施の形態の、正面図である。
【図２】  同じく、図１におけるＡ−Ａ線による拡大断面図である。
【図３】  同じく、緊張装置の拡大右側面図である。
【図４】  同じく、図３におけるＢ−Ｂ線による拡大断面図である。
【図５】  同じく、図３におけるＣ−Ｃ線による拡大断面図である。
【図６】  同じく、作業手順１を示す正面図である。
【図７】  同じく、作業手順２を示す正面図である。
【図８】  同じく、作業手順３を示す正面図である。
【図９】  同じく、作業手順４を示す正面図である。
【図１０】  この発明に係る補強材の緊張貼付装置の他の実施の形態の、正面図である。
【符号の説明】
１  上部構造                      １ａ  下面
２  下部構造                      ３  ＰＢＯ連続繊維シート（補強材）
４  緊張貼付装置                  ５  ベース体
５ａ  第１ベース体                ５ｂ  第２ベース体
５ｃ  中間体                      ６  緊張装置
７  案内手段
７ａ  第１ガイドレール（ガイドレール）
８  第１位置保持手段              ９  第２位置保持手段
１１  スライド体                  １１ｉ  第１対向片
１２  シフトドラム                １３  定着具
１４  移動手段                    １５  支持体
１５ｆ  第２対向片
１６  第２ガイドレール（他のガイドレール）
１７  ジャッキ
１８  ネジジャッキ（第１位置保持手段、第２位置保持手段、駆動手段）
Ｘ  保持部材                      Ｙ  ナット
【図１】
0003747437.tif 000002
【図２】
0003747437.tif 000003
【図３】
0003747437.tif 000004
【図４】
0003747437.tif 000005
【図５】
0003747437.tif 000006
【図６】
0003747437.tif 000007
【図７】
0003747437.tif 000008
【図８】
0003747437.tif 000009
【図９】
0003747437.tif 000010
【図１０】
0003747437.tif 000011